(57)【要約】【課題】操作軸の回転操作、傾倒操作および押圧操作により操作する複合操作型電子部品に関し、回転操作時に、回転ムラやガタツキ等の不快感を感じ難いものの提供を目的とする。【解決手段】箱型ケースの上底面から突出したボス２６Ａ，２６Ｂが、周辺押圧スイッチ７Ｂ〜７Ｅ駆動用の突起２４Ａ〜２４Ｄを有する駆動体２３の二つの長孔２５Ａ，２５Ｂに係合すると共に、操作軸２２中間のフランジ部２２Ｃの上面と駆動体２３下面の平面部２３Ｄが、中央押圧スイッチによる上方への付勢力により柔軟性を有する摩擦板２７を介して弾接触する構成とすることにより、回転操作時に、回転ムラやガタツキ等の不快感を感じ難い複合操作型電子部品を実現できる。【選択図】  図１
2004193048.tif 000002
【特許請求の範囲】
【請求項１】
周囲下面が球状凹部となった円形開口部を上底面の中央に有し、回転部品部および中央押圧スイッチを下底面の中央に有すると共に、この下底面の中心から９０°の角度間隔に四つの周辺押圧スイッチを有する箱型ケースと、中心に円形貫通孔を有する上面中央の球状突部が上記箱型ケースの円形開口部の周囲下面に傾倒可能に係合すると共に、この球状突部の外方に、対向する二つの上記周辺押圧スイッチを結ぶ中心線に沿って、上記箱型ケースの上底面から下方に突出した二つのボスがそれぞれ係合する二つの長孔を有し、更に上記四つの周辺押圧スイッチの押圧部にそれぞれ当接する四つの突起を外周下面に有すると共に、上記球状突部下面の上記円形貫通孔の周囲が平面部である駆動体と、上記回転部品部の回転体の多角形の貫通孔に傾倒および上下動可能であるが共回りするように係合して、下面が上記中央押圧スイッチの押圧部に当接する、水平断面が多角形である多角形球体を下端に有し、これから上方に伸びた円形の軸部が上記駆動体の円形貫通孔と回転および上下動自在に係合して上方に突出すると共に、この軸部の中間に設けられたフランジ部の上面が、上記中央押圧スイッチによる上方への付勢力により柔軟性を有する摩擦板を挟み付けて上記駆動体の平面部に弾接している操作軸からなり、上記操作軸を回転操作すると上記フランジ部の上面と上記駆動体の平面部が摩擦板を介して弾接触しながら回転して上記回転部品部が動作し、また、上記操作軸を傾倒操作すると上記周辺押圧スイッチが、押圧操作すると中央押圧スイッチがそれぞれ動作する複合操作型電子部品。
【請求項２】
箱型ケースの上底面から突出した二つのボスと駆動体の二つの長孔との係合部が、中心線に沿う方向には上記ボスの両側に大きな隙間があり、中心線に直角方向では上記ボスの根元側では僅かな隙間で、上記ボスの先端側に向けて次第に大きな隙間となっている請求項１記載の複合操作型電子部品。
【請求項３】
操作軸のフランジ部の上面が摩擦板を挟み付けて駆動体の平面部に弾接するように、中央押圧スイッチと共に上記フランジ部を上方に付勢するばね体を、上記フランジ部下方の操作軸の周囲に配設した請求項１記載の複合操作型電子部品。
【請求項４】
回転部品部と中央押圧スイッチが一体化されて、個別の電子部品として予め形成された請求項１記載の複合操作型電子部品。
【発明の詳細な説明】
【０００１】
【発明の属する技術分野】
本発明は、各種電子機器の入力操作部に使用されて、操作軸の回転操作、傾倒操作および押圧操作により操作される複合操作型電子部品に関するものである。
【０００２】
【従来の技術】
従来のこの種の複合操作型電子部品について、図１０〜図１３を用いて説明する。
【０００３】
図１０は従来の複合操作型電子部品の正面断面図、図１１は分解斜視図である。
【０００４】
同図において、１は上底面中央に円形の開口部１Ａを有する金属板製のコの字形のカバーで、その上底面内側に開口部１Ａの周囲下面を覆うように配された球状凹部体１Ｂ、およびこれに重ねて配された樹脂製の四角形の枠体２およびその下面を塞ぐように配された第一接点基板３などを抱持して箱型ケースを形成している。
【０００５】
枠体２の中間壁部には中央孔４Ａおよび四つの貫通孔４Ｂ〜４Ｅが設けられ、第一接点基板３上には、上記各孔４Ａ〜４Ｅに対応した位置に、中央固定接点３Ａおよび中心から等距離で９０°の角度間隔の周辺固定接点３Ｂ〜３Ｅが設けられている。
【０００６】
そして、枠体２と第一接点基板３の間には、ラバーシート５および第二接点基板６が挟持され、ラバーシート５には、各頂点部下面に可動接点５Ｆおよび５Ｇ〜５Ｊ（５Ｈ，５Ｊは図示せず）を有するドーム状部５Ａおよび５Ｂ〜５Ｅが、固定接点３Ａおよび３Ｂ〜３Ｅに対応した位置に設けられて、中央押圧スイッチ７Ａおよび周辺押圧スイッチ７Ｂ〜７Ｅ（７Ｃ，７Ｅは図示せず）を形成している。
【０００７】
また、第二接点基板６は、上記のドーム状部５Ｂ〜５Ｅを対応する四つの貫通孔にはめ込んで、第一接点基板３との間にラバーシート５を挟み込むと共に、弾性金属薄板からなる弾性接点８Ａおよび８Ｂを有している。
【０００８】
さらに、９は樹脂製の回転体で、中央に正六角形の貫通孔９Ａを有し、下面には信号接点板１０がインサート成形により固定されており、枠体２の中間壁部の貫通孔４Ａおよび第二接点基板６の中央孔６Ａによって回転可能に保持されて、弾性接点８Ａおよび８Ｂが信号接点板１０に弾接することにより回転部品部を形成している。
【０００９】
そして、１１は棒状の操作軸で、その下端は中心部の水平断面が正六角形である多角形球体１１Ａとなって、回転体９中央の正六角形の貫通孔９Ａに上下動および傾倒可能であるが共回りするように係合すると共に、中央押圧スイッチ７Ａのドーム状部５Ａの上面に当接しており、一方、上方に伸びた円形の軸部１１Ｂが駆動体１２の中央孔１２Ａを貫通してカバー１の開口部１Ａから上方に突出している。
【００１０】
また、駆動体１２は、平板部の上面中央に、操作軸１１下端の多角形球体１１Ａと同中心である球状突部１２Ｂを有しており、この球状突部１２Ｂがカバー１の開口部１Ａ周囲下面に位置する球状凹部体１Ｂの球状凹部部分に対し回転傾倒可能に当接するように、中央孔１２Ａを貫通した操作軸１１の軸部１１Ｂ中間のフランジ部１１Ｃにより支持されている。
【００１１】
さらに、駆動体１２の平板部の下方には、四つの突起１３Ａ〜１３Ｄ（１３Ｄは図示せず）が設けられ、その下端部がそれぞれ周辺押圧スイッチ７Ｂ〜７Ｅのドーム状部５Ｂ〜５Ｅの上面に当接して、駆動体１２および操作軸１１を中立位置に保っている。
【００１２】
次に、このように構成される複合操作型電子部品の動作について説明する。
【００１３】
まず、図１０に示す中立位置において、操作軸１１の軸部１１Ｂを水平回転させると、下端の多角形球体１１Ａと共回りするように係合している回転体９が回転させられ、その下面の信号接点板１０上を弾性接点８Ａ，８Ｂが弾接摺動して、回転部品部としての電気信号を発生する。
【００１４】
そして、操作軸１１の軸部１１Ｂに横方向の押し力を加えて、図１２に矢印Ｘで示す方向に傾倒させると、操作軸１１は下端の多角形球体１１Ａを中心として右方向に回動し、これに伴って軸部１１Ｂの中間に係合している駆動体１２がＺ方向に回動して傾倒し、下方の突起１３Ａが周辺押圧スイッチ７Ｂのドーム状部５Ｂを下方に押して弾性変形させ、可動接点５Ｇが固定接点３Ｂに接触して周辺押圧スイッチ７ＢをＯＮさせる。
【００１５】
この後、軸部１１Ｂに加えた押し力を除くと、ドーム状部５Ｂがその弾性復元力によって元の形状に復帰すると共に、突起１３Ａを押し戻して、操作軸１１を元の図１０の中立位置に復帰させる。
【００１６】
また、軸部１１Ｂに下向きの押し力を加えて、図１３に矢印Ｖで示すように下方へ押圧すると、操作軸１１下端の多角形球体１１Ａの下面が中央押圧スイッチ７Ａのドーム状部５Ａを下方に押して弾性変形させて、可動接点５Ｆが固定接点３Ａに接触して中央押圧スイッチ７ＡをＯＮさせ、軸部１１Ｂに加えた押し力を除くと元の図１０の中立位置に復帰するものであった。
【００１７】
なお、この出願の発明に関連する先行技術文献情報としては、例えば、特許文献１、特許文献２が知られている。
【００１８】
【特許文献１】
特開平１０−２４１５０１号公報
【特許文献２】
特開２０００−４８６８１号公報
【００１９】
【発明が解決しようとする課題】
しかしながら上記従来の複合操作型電子部品は、操作軸１１の回転操作時に、駆動体１２の突起１３Ａ〜１３Ｄと枠体２の貫通孔４Ｂ〜４Ｅとの隙間分だけ、駆動体１２が回転方向に動いて操作する人の手に回転ムラを感じたり、また、操作軸１１の多角形球体１１Ａが上下動および傾倒可能に係合する回転体９の多角形の貫通孔９Ａとの係合部に僅かなギャップが設けられているが、このギャップが原因となって操作軸１１の回転操作時にアソビ角を生じ、操作する人の手にガタツキとして感じることがあるという課題があった。
【００２０】
本発明は、このような従来の課題を解決するものであり、操作軸の回転操作時に、操作する人の手に回転ムラやガタツキ等の不快感を感じ難い複合操作型電子部品を提供することを目的とする。
【００２１】
【課題を解決するための手段】
上記目的を達成するために本発明は、以下の構成を有するものである。
【００２２】
本発明の請求項１に記載の発明は、周囲下面が球状凹部となった円形開口部を上底面の中央に有し、回転部品部および中央押圧スイッチを下底面の中央に有すると共に、下底面の中心から９０°の角度間隔に四つの周辺押圧スイッチを有する箱型ケースと、中心に円形貫通孔を有する上面中央の球状突部が箱型ケースの円形開口部の周囲下面に傾倒可能に係合すると共に、この球状突部の外方に、対向する二つの周辺押圧スイッチを結ぶ中心線に沿って、箱型ケースの上底面から突出した二つのボスがそれぞれ係合する二つの長孔を有し、更に周辺押圧スイッチの押圧部にそれぞれ当接する四つの突起を外周下面に有すると共に、球状突部下面の円形貫通孔の周囲が平面部である駆動体と、回転部品部の回転体の多角形の貫通孔に傾倒および上下動可能であるが共回りするように係合して、下面が中央押圧スイッチの押圧部に当接する、水平断面が多角形である多角形球体を下端に有し、これから上方に伸びた円形の軸部が駆動体の円形貫通孔と回転および上下動自在に係合して上方に突出すると共に、軸部の中間に設けられたフランジ部の上面が、中央押圧スイッチによる上方への付勢力により柔軟性を有する摩擦板を挟み付けて上記駆動体の平面部に弾接している操作体からなる複合操作型電子部品としたものであり、箱型ケースの上底面から突出したボスが駆動体の二つの長孔に係合しているので、操作軸の回転操作時に駆動体が回転方向に動くことが少なく、また、回転操作時には、フランジ部の上面と駆動体の平面部が柔軟性を有する摩擦板を介して弾接触し、安定した回転トルクで滑らかに回転するので、操作軸の多角形球体と回転体の多角形の貫通孔との係合部のギャップによるガタツキを操作する人の手に感じ難くなり、不快感を感じないで回転型部品部を動作させることができ、更に、操作軸を傾倒操作して周辺押圧スイッチを、押圧操作して中央押圧スイッチをそれぞれスムーズに動作させることができる複合操作型電子部品を実現できるという作用効果を有する。
【００２３】
請求項２に記載の発明は、請求項１記載の発明において、箱型ケースの上底面から突出した二つのボスと駆動体の二つの長孔との係合部が、中心線に沿う方向にはボスの両側に大きな隙間があり、中心線に直角方向ではボスの根元側では僅かな隙間で先端側に向けて次第に大きな隙間となっているものであり、操作軸の回転操作時には、二つのボス根元側の僅かな隙間の部分で駆動体が回転方向に動くことを規制し、操作軸を二つのボスを結ぶ中心線の方向に傾倒操作する場合には、ボス両側の大きな隙間の方向に、長孔内でボスが動いて駆動体を傾倒させ、二つのボスを結ぶ中心線に直角な方向に傾倒操作する場合には、ボスの根元側を支点として、次第に隙間が大きくなった先端側が動いて駆動体を傾倒させることができるという作用効果を有する。
【００２４】
請求項３に記載の発明は、請求項１記載の発明において、操作軸のフランジ部の上面が摩擦板を挟み付けて駆動体の平面部に弾接するように、中央押圧スイッチと共に上記フランジ部を上方に付勢するばね体を、フランジ部下方の操作軸の周囲に配設したものであり、請求項１に記載の発明による作用に加えて、中立位置における走査軸の上下方向位置が安定すると共に、操作軸の回転操作時における摩擦板の摩擦力が大きくなって、回転トルクおよび回転感触をより安定した状態とすることができるという作用効果を有する。
【００２５】
請求項４に記載の発明は、請求項１記載の発明において、回転部品部と中央押圧スイッチが一体化されて、個別の電子部品として予め形成されたものであり、本複合操作型電子部品を構成する各機能部品の中でもっとも複雑な部分を予め組み立てて検査をしておくことができるので、複合操作型電子部品全体としての組立てが容易になるという作用効果を有する。
【００２６】
【発明の実施の形態】
以下、本発明の実施の形態について、図１〜図９を用いて説明する。
【００２７】
なお、従来の技術の項で説明した構成と同一構成の部分には同一符号を付して、詳細な説明を省略する。
【００２８】
（実施の形態１）
実施の形態１を用いて、本発明の特に請求項１〜３に記載の発明について説明する。
【００２９】
図１は本発明の第１の実施の形態による複合操作型電子部品の正面断面図、図２は分解斜視図であり、同図に示すように、基本的な構成は従来の技術の項で説明したものと同じである。
【００３０】
すなわち、１は上底面中央に円形の開口部１Ａを有する金属板製のコの字形のカバーで、その上底面内側に開口部１Ａの周囲下面を覆う球状凹部体２１を、両側面間に樹脂製の四角形の枠体２およびその下面を塞ぐように配された第一接点基板３を抱持して箱型ケースを形成している。
【００３１】
そして、枠体２の中間壁部には中央孔４Ａおよび四つの貫通孔４Ｂ〜４Ｅが設けられ、第一接点基板３上には、各孔４Ａ〜４Ｅに対応して、中央固定接点３Ａおよび中心から等距離で９０°の角度間隔の周辺固定接点３Ｂ〜３Ｅ（３Ｃ，３Ｅは図示せず）が設けられていると共に、枠体２と第一接点基板３の間には、ラバーシート５および第二接点基板６が挟持され、ラバーシート５には、各頂点部下面に可動接点５Ｆおよび５Ｇ〜５Ｊ（５Ｈ，５Ｊは図示せず）を有するドーム状部５Ａおよび５Ｂ〜５Ｅ（５Ｃ，５Ｅは図示せず）が、中央固定接点３Ａおよび周辺固定接点３Ｂ〜３Ｅに対応した位置に設けられて、中央押圧スイッチ７Ａおよび周辺押圧スイッチ７Ｂ〜７Ｅ（７Ｃ，７Ｅは図示せず）を形成している。
【００３２】
また、第二接点基板６は、上記のドーム状部５Ｂ〜５Ｅに対応する四つの貫通孔にはめ込んで、第一接点基板３との間にラバーシート５を挟み込むと共に、弾性金属薄板からなる弾性接点８Ａおよび８Ｂを有しており、枠体２の中間壁部の中央孔４Ａおよび第二接点基板６の中央孔６Ａにより回転可能に保持された樹脂製の回転体９の下面にインサート成形固定された信号接点板１０に、上記弾性接点８Ａおよび８Ｂが弾接して回転部品部を形成している。
【００３３】
なお、枠体２の下方に配設された第二接点基板６、ラバーシート５、第一接点基板３と回転体９およびこれらの部材により構成される各押圧スイッチ並びに回転部品部は、従来の技術の場合と全く同じであるので、図２において、これらの部材は一体に組み合わせた状態で示している。
【００３４】
そして、２２は棒状の操作軸で、その下端は中心部の水平断面が正六角形である多角形球体２２Ａとなって、回転体９中央の正六角形の貫通孔９Ａに上下動および傾倒可能であるが共回りするように係合すると共に、中央押圧スイッチ７Ａのドーム状部５Ａの上面に当接して上方への付勢がされており、上方に伸びた円形の軸部２２Ｂが駆動体２３の中央孔２３Ａを貫通してカバー１の開口部１Ａから上方に突出している。
【００３５】
また、駆動体２３は、平板部２３Ｃの上面中央に、操作軸２２下端の多角形球体２２Ａと同中心である球状突部２３Ｂを有しており、この球状突部２３Ｂがカバー１の開口部１Ａ周囲下面の球状凹部体２１の球状凹部部分に対し回転および傾倒可能に当接するようにして、中央孔２３Ａを貫通した軸部２２Ｂ中間の大径のフランジ部２２Ｃにより上方へ付勢・支持され、更に、駆動体２３の平板部２３Ｃの下方には、四つの突起２４Ａ〜２４Ｄ（２４Ｄは図示せず）が設けられ、その下端部がそれぞれ周辺押圧スイッチ７Ｂ〜７Ｅのドーム状部５Ｂ〜５Ｅの上面に当接することにより、駆動体２３および操作軸２２を中立位置に保っていることも従来の技術の場合と同様である。
【００３６】
しかし、駆動体２３の球状突部２３Ｂ外方の平板部２３Ｃには、中心に対し対向する二つの突起２４Ａと２４Ｃすなわち二つの周辺押圧スイッチ７Ｂと７Ｄを結ぶ中心線に沿って二つの長孔２５Ａ，２５Ｂが設けられ、箱型ケースの上底面を形成する球状凹部体２１の平面部から下方に突出した二つのボス２６Ａ，２６Ｂが係合していると共に、操作軸２２の軸部２２Ｂ中間のフランジ部２２Ｃ上面と駆動体２３の球状突部２３Ｂ下面の平面部２３Ｄとの間には、平板リング状の摩擦板２７が挟み付けられている。
【００３７】
これら二つの長孔２５Ａ，２５Ｂと二つのボス２６Ａ，２６Ｂとの係合部分および摩擦板２７の装着部分の状態を、図１のＰ−Ｐ線における断面図である図３に示す。
【００３８】
同図に示すように、二つのボス２６Ａ，２６Ｂは円形断面の棒体で、長孔２５Ａ，２５Ｂの長手方向の略中央部に係合しており、二つの周辺押圧スイッチ７Ｂ，７Ｄを結ぶ中心線に沿う方向には両側に大きな余裕があり、中心線に直角な方向では僅かな隙間となっている。
【００３９】
そして、二つのボス２６Ａ，２６Ｂの直径は、図１に示すように、長孔２５Ａ，２５Ｂの上端に係合する部分から根元側は一定の大きさで、ここから先端側に向けて次第に細くなっている。
【００４０】
また、平板リング状の摩擦板２７は、ゴム板やフェルトまたは弾性樹脂板等の柔軟性を有する材料で形成され、図３に示すように、六角形の外径が駆動体２３の平面部２３Ｄ周囲の六角形の壁部内にはめ込まれると共に、中心の円形孔を操作軸２２の軸部２２Ｂが貫通している。
【００４１】
本実施の形態による複合操作型電子部品は以上のように構成されるものであり、次にその動作について説明する。
【００４２】
まず、図１に示す中立位置において、操作軸２２の軸部２２Ｂを水平回転させると、下端の多角形球体２２Ａと共回りするように係合している回転体９が回転させられ、その下面の信号接点板１０上を弾性接点８Ａ，８Ｂが弾接摺動して、回転部品部としての電気信号を発生する。
【００４３】
この時、操作軸２２は中央押圧スイッチ７Ａのドーム状部５Ａによって上方への付勢力を受けているので、大径のフランジ部２２Ｃの上面は摩擦板２７を介して駆動体２３の平面部２３Ｄに弾接触しながら回転するが、摩擦板２７は外径が平面部２３Ｄの周囲の壁部にはめ込まれているので回転せず、フランジ部２２Ｃの上面と摩擦板２７の間で滑ることにより安定した回転トルクを生じて滑らかに回転する。
【００４４】
これにより、操作軸２２の多角形球体２２Ａと回転体９の貫通孔９Ａとの係合部のギャップによるガタツキを、操作する人の手に感じ難くなっている。
【００４５】
また、操作軸２２のフランジ部２２Ｃ上面と摩擦板２７の間の摩擦力によって駆動体２３も回転しようとするが、平板部２３Ｃの二つの長孔２５Ａ，２５Ｂに球状凹部体２１から突出した二つのボス２６Ａ，２６Ｂが僅かな隙間で係合しているので、駆動体２３は回転方向には動かない。
【００４６】
従って、この複合操作型電子部品を操作する人の手に不快感を感じないで回転部品部を操作することができる。
【００４７】
次に、操作軸２２の軸部２２Ｂに横方向の押し力を加えて、図４に矢印Ｘで示す方向に傾倒操作すると、操作軸２２は下端の多角形球体２２Ａを中心として右方向に回動し、これに伴い軸部２２Ｂの中間に係合している駆動体２３がＺ方向に回動して傾倒し、これにより下方の突起２４Ａが周辺押圧スイッチ７Ｂのドーム状部５Ｂを下方に押して弾性変形させ、可動接点５Ｇが周辺固定接点３Ｂに接触して周辺押圧スイッチ７ＢをＯＮさせる。
【００４８】
この後、軸部２２Ｂに加えた押し力を除くと、ドーム状部５Ｂがその弾性復元力によって元の形状に復帰すると共に、突起２４Ａを押し戻して、駆動体２３および操作軸２２を元の図１の中立位置に復帰させる。
【００４９】
この時、駆動体２３の平板部２３Ｃの長孔２５Ａ，２５Ｂに係合した二つのボス２６Ａ，２６Ｂは、それぞれの長孔２５Ａ，２５Ｂ内の大きな余裕のある方向において、その係合位置がボス２６Ａは先端側へボス２６Ｂは根元側へと移動しながら、駆動体２３の突起２４Ａが周辺押圧スイッチ７Ｂのドーム状部５Ｂの上面を的確に押すようにガイドする。
【００５０】
また、軸部２２Ｂに上記のＸ方向とは直角な横方向に押し力を加えて傾倒操作する場合には、図１に示す中立位置において長孔２５Ａ，２５Ｂとボス２６Ａ，２６Ｂがそれぞれ係合している状態において、図５の側面部分断面図に示すように、駆動体２３すなわち長孔２５Ａ，２５Ｂが傾いて、周辺押圧スイッチ７Ｃまたは７Ｅ（図示せず）をＯＮさせる。
【００５１】
この場合、二つのボス２６Ａ，２６Ｂの先端側が細くなっているので、駆動体２３の長孔２５Ａ，２５Ｂは無理なく傾くことができ、この方向への傾倒操作時にも、駆動体２３の突起２４Ｂまたは２４Ｄが周辺押圧スイッチ７Ｃまたは７Ｅのドーム状部５Ｃまたは５Ｅの上面を的確に押すことができる。
【００５２】
更に、操作軸２２の軸部２２Ｂに下向きの押し力を加えて、図６に矢印Ｖで示すように下方へ押圧操作すると、操作軸２２下端の多角形球体２２Ａの下面が中央押圧スイッチ７Ａのドーム状部５Ａを下方に押して弾性変形させて、可動接点５Ｆが中央固定接点３Ａに接触して中央押圧スイッチ７ＡをＯＮさせ、軸部２２Ｂに加えた押し力を除くと、ドーム状部５Ａがその弾性復元力によって元の形状に復帰すると共に、操作軸２２を上方へ押し戻して、元の図１の中立位置に復帰させる。
【００５３】
この操作軸２２の押圧操作時に、駆動体２３は下方の四つの突起２４Ａ〜２４Ｄが周辺押圧スイッチ７Ｂ〜７Ｅのドーム状部５Ｂ〜５Ｅの上面に当接・支持されていて、下方へは動かない。
【００５４】
そして、図７は以上に説明した複合操作型電子部品の他の構成を示す正面断面図である。
【００５５】
すなわち、図１の正面断面図に示したものに対し、このものは操作軸２８のフランジ部２８Ａ下方の軸部２８Ｂの周囲に、フランジ部２８Ａを上方に付勢するばね体としてのコイルばね２９が配設されている。
【００５６】
このコイルばね２９は、フランジ部２８Ａ下面と枠体３０の中間壁３０Ａとの間に挿入され、フランジ部２８Ａ上面が摩擦板２７を挟み付けて駆動体３１の平面部３１Ａに強く弾接するように配設されたものであり、このような構成とすることによって、図１に示したものよりも中立位置における操作軸２８すなわち軸部２８Ｂの上下方向位置が安定すると共に、操作軸２８の回転操作時における摩擦板２７の摩擦力が大きくなって、回転トルクおよび回転感触をより安定した状態とすることができる。
【００５７】
以上のように本実施の形態によれば、箱型ケースの上底面から突出したボス２６Ａ，２６Ｂが駆動体２３の二つの長孔２５Ａ，２５Ｂに係合しているので、操作軸２２の回転操作時に駆動体２３が回転方向に動くことが少なく、またこの回転操作時に、フランジ部２２Ｃ上面と駆動体２３の平面部２３Ｄが柔軟性を有する摩擦板２７を介して弾接触し、安定した回転トルクで滑らかに回転するので、操作軸２２の多角形球体２２Ａと回転体９の多角形の貫通孔９Ａとの係合部のギャップによるガタツキが操作する人の手に感じ難くなり、不快感を感じないで回転型部品部を動作させることができ、更に、操作軸２２を傾倒操作して周辺押圧スイッチ７Ｂ〜７Ｅを、押圧操作して中央押圧スイッチ７Ａをそれぞれスムーズに動作させることができる複合操作型電子部品を実現できるものである。
【００５８】
（実施の形態２）
実施の形態２を用いて、本発明の特に請求項４に記載の発明について説明する。
【００５９】
なお、実施の形態１と同一構成の部分には同一符号を付して詳細な説明を省略する。
【００６０】
図８は本発明の第２の実施の形態による複合操作型電子部品の正面断面図であり、同図に示すように、本実施の形態による複合操作型電子部品は上記の実施の形態１によるものに対し、個別の電子部品として予め形成されたものを、各機能部品部として使用している点が異なっている。
【００６１】
すなわち、実施の形態１において軸部２２Ｂすなわち操作軸２２により直接操作される回転部品部と中央押圧スイッチを、本出願人が提案している特開２０００−４８６８１号公報に開示した図９の正面断面図に示すような、中間にフランジ部３２Ｂを有する操作軸３２の断面が正六角形の多角形球体３２Ａを、信号接点板を保持した回転体３３中央の六角形の貫通孔３３Ａに上下動および傾倒可能であるが共回りするように挿通して、その下端部を回転体３３の下方に配設された押圧スイッチ部３４の駆動板３５上面に当接させた、プッシュスイッチ付きの個別の回転型電子部品３６として予め形成し、性能検査も実施しておく。
【００６２】
そして、図８に示すように、この個別の回転型電子部品３６を四つの個別押圧スイッチ３７と共にプリント配線基板３８上の所定の位置に配設し、その上部に周囲下面が球状凹部となった円形開口部３９Ａおよび下方へ突出した二つのボス３９Ｂを有するケース３９で覆い、その内側に、実施の形態１の場合と同様の駆動体４０および摩擦板２７を配設するものである。
【００６３】
このようにして形成された本実施の形態による複合操作型電子部品は、その構成要素である各機能部品部の中でもっとも複雑である回転部品部を、中央押圧スイッチと組み合わせて予め組み立てて検査をしておくので、複合操作型電子部品全体としての組立てが容易になると共に、実施の形態１によるものと同様の動作をすることができるものにできる。
【００６４】
なお、以上の実施の形態１および２の説明において、操作軸２２の多角形球体２２Ａまたは操作軸３２の多角形球体３２Ａの断面形状および、これらが係合する回転体９の貫通孔９Ａまたは回転体３３の貫通孔３３Ａはいずれも正六角形であるとしたが、これは正八角形等であってもよい。
【００６５】
【発明の効果】
以上のように本発明によれば、箱型ケースの上底面から突出したボスが駆動体の二つの長孔に係合していて、操作軸の回転操作時に駆動体が回転方向に動くことが少なく、また、回転操作時には、フランジ部の上面と駆動体の平面部が柔軟性を有する摩擦板を介して弾接触し、安定した回転トルクで滑らかに回転するので、操作軸の多角形球体と回転体の貫通孔との係合部のギャップによるガタツキが操作する人の手に感じ難くなり、不快感を感じないで回転型部品部を動作させると共に、操作軸を傾倒操作して周辺押圧スイッチを、押圧操作して中央押圧スイッチをそれぞれスムーズに動作させる複合操作型電子部品を実現できるという有利な効果が得られる。
【図面の簡単な説明】
【図１】本発明の第１の実施の形態による複合操作型電子部品の正面断面図
【図２】同分解斜視図
【図３】同図１のＰ−Ｐ線における断面図
【図４】同傾倒操作時の正面断面図
【図５】同図４の場合に対して直角な方向に傾倒操作する場合のボス中心線における側面部分断面図
【図６】同押圧操作時の正面断面図
【図７】同他の構成の複合操作型電子部品の正面断面図
【図８】本発明の第２の実施の形態による複合操作型電子部品の正面断面図
【図９】同個別の回転型電子部品の正面断面図
【図１０】従来の複合操作型電子部品の正面断面図
【図１１】同分解斜視図
【図１２】同傾倒操作時の正面断面図
【図１３】同押圧操作時の正面断面図
【符号の説明】
１  カバー
１Ａ  開口部
２，３０  枠体
３  第一接点基板
３Ａ  中央固定接点
３Ｂ〜３Ｅ  周辺固定接点
４Ａ，６Ａ，２３Ａ  中央孔
４Ｂ〜４Ｅ，９Ａ，３３Ａ  貫通孔
５  ラバーシート
５Ａ〜５Ｅ  ドーム状部
５Ｆ〜５Ｊ  可動接点
６  第二接点基板
７Ａ  中央押圧スイッチ
７Ｂ〜７Ｅ  周辺押圧スイッチ
８Ａ，８Ｂ  弾性接点
９，３３  回転体
１０  信号接点板
２１  球状凹部体
２２，２８，３２  操作軸
２２Ａ，３２Ａ  多角形球体
２２Ｂ，２８Ｂ  軸部
２２Ｃ，２８Ａ，３２Ｂ  フランジ部
２３，３１，４０  駆動体
２３Ｂ  球状突部
２３Ｃ  平板部
２３Ｄ，３１Ａ  平面部
２４Ａ〜２４Ｄ  突起
２５Ａ，２５Ｂ  長孔
２６Ａ，２６Ｂ，３９Ｂ  ボス
２７  摩擦板
２９  コイルばね
３０Ａ  中間壁
３４  押圧スイッチ部
３５  駆動板
３６  回転型電子部品
３７  個別押圧スイッチ
３８  プリント配線基板
３９  ケース
３９Ａ  円形開口部
【図１】
2004193048.tif 000003
【図２】
2004193048.tif 000004
【図３】
2004193048.tif 000005
【図４】
2004193048.tif 000006
【図５】
2004193048.tif 000007
【図６】
2004193048.tif 000008
【図７】
2004193048.tif 000009
【図８】
2004193048.tif 000010
【図９】
2004193048.tif 000011
【図１０】
2004193048.tif 000012
【図１１】
2004193048.tif 000013
【図１２】
2004193048.tif 000014
【図１３】
2004193048.tif 000015